(57)【特許請求の範囲】
【請求項１】
原子炉建屋内に配置された原子炉及び原子炉ウェルを収納する複数の原子炉区域と、前記原子炉建屋内の給気ダクトからの空気及び原子炉区域内の雰囲気を外部に排気する排気ダクトと、前記原子炉区域の周辺区域に前記給気ダクトから供給した空気を浄化する浄化装置と、この浄化装置の下流側に設けられ前記排気ダクトに空気を排気するファンとを備えた原子炉の換気設備において、前記浄化装置の上流側に、修繕時に前記原子炉区域に接続する複数の風導管とこれら風導管を開く入口弁とを設け、前記給気ダクトに、修繕時に前記原子炉建屋内を負圧にする給気ダクトダンパを設けると共に、前記排気ダクトに修繕時に閉じる排気ダクトダンパを設け、この排気ダクトダンパの下流側に前記ファンの下流側を接続し、かつ前記排気ダクトと前記ファンとの間の風導管に前記原子炉建屋内に開口する分岐路を設け、この分岐路に、前記排気ダクトの不使用時に開くバイパス弁を設けたことを特徴とする原子炉の換気設備。
【発明の詳細な説明】
【０００１】
【発明の属する技術分野】
本発明は、原子力発電設備における原子炉内の構造物を修繕する時の工事用に使用する換気設備に関する。
【０００２】
【従来の技術】
原子力発電所については、発電設備の健全性を維持するため、定期検査中に原子炉内の構造物における修繕が実施される。この際の留意事項としては、機器内部に含まれる放射性物質が雰囲気として拡散することに対し、室内作業員に対する被爆防護を達成させることが重要である。
【０００３】
室内作業員の被ばく防護については、防護服の着用等で作業中の防護が可能であるが、作業に伴う周辺雰囲気への汚染物質の拡散については、作業エリアの養生等、状況に応じた対応を図っている。
【０００４】
特開昭５５−６２３９９号公報や特開平６−２３０１８１号公報には、原子力発電所で、放射能汚染された雰囲気を有する室内の雰囲気をファンで吸い込んでフィルタに通す放射性物質の浄化設備が掲載されている。
【０００５】
このような公報に掲載された技術では、定期検査時における原子炉内の構造物の修繕が実施される際に、その原子炉が設置されている原子炉建屋の運転階に原子炉内の構造物を修繕する時に発生する雰囲気が拡散する。その拡散されてしまった後にファンで吸い込んでフィルタに通すことになる。
【０００６】
原子炉内における構造物の修繕工事では、原子炉の水張り時の構造物において水中切断作業及び水抜き後の構造物の据付作業等における作業内容がわかれており、それぞれ非常に高い放射性物質が発生するため、このような拡散後の放射性物質のフィルタによる収集捕獲は効率が悪く、かつ室内作業員の被爆防護が図れない。
【０００７】
また、前記原子炉建屋の室内にある換気設備が停止した場合、従来の設備では発生した放射性物質を含んだ雰囲気を処理できなくなるため、修繕作業を停止する必要があることから修繕作業の効率が悪くなる。
【０００８】
【発明が解決しようとする課題】
原子炉内の構造物には長期の運転により機器表面に非常に高い放射性物質が残留してしまう。これにより、当該物質の拡散寄与が大きい炉内構造物の修繕を想定した場合、当該物質が運転階に拡散する可能性がある。
【０００９】
本発明の目的は、上記実状に鑑みなされたものであり、効率よく当該物質を含んだ雰囲気を処理できると共に、修繕作業効率の向上が行え得る原子炉の換気設備を提供することにある。
【００１０】
【課題を解決するための手段】
上記目的を達成するために、風道管を修繕する原子炉区域に接続して入力弁を開き、原子炉区域内と連通する排気ダクトを閉じ、給気ダクトの弁を操作し、原子炉建屋内が負圧になるように浄化装置の風量を調整し、修繕中の原子炉区域の雰囲気を、浄化装置より前記排気ダクトに排気し、修繕作業時の雰囲気が周辺環境への汚染拡大になるのを抑制できる。
【００１１】
【発明の実施の形態】
本発明の実施される具体的手段は、フィルタ等を内蔵するフィルタユニットより成る浄化装置と、浄化装置の下流側に備えたファンと、これらを接続する風道管を備え、前記風道管を原子炉内等に挿入し、浄化装置により原子炉内等の空気を換気設備の排気ダクトへ導くものである。
【００１２】
また、原子炉の換気設備において、複数の浄化装置用入口の入口側風道管に開閉自在の入口弁を備え、この入口側風道管を原子炉内の構造物を修繕する工事の作業内容に応じた原子炉内に挿入或いは吸入先を切り替えできることを特徴とするものである。
【００１３】
更に、ファンと排気ダクトとの間に分岐管を設け、分岐管を浄化装置の入口側風道管に接続して、空気及び雰囲気などを再循環することにより、原子炉建屋室内における換気設備を停止した時においても、浄化装置の運転を継続して行えるので、当該物質除去効率及び修繕作業効率の向上並びに周辺環境への汚染拡大を抑制できることを特徴とするものである。
【００１４】
以下、前述の記載に基いて本発明の実施例を図１ないし図５を参照して説明する。本発明は、修繕作業内容及び前記原子炉建屋室内換気設備の運転状況により実施例が異なるので、それに応じて実施例を説明する。
（実施例１）
図１及び図２は、本発明の第１実施例に係る原子炉内における構造物を修繕する工事用換気設備の要部説明図である。図１と図２とは原子力発電設備における原子炉建屋内の概略平面図と概略断面図に分けて図示している。
【００１５】
本発明の第１実施例は、原子炉内の構造物における修繕工事のうち原子炉内を水で満たした水張り時の水中切断作業を実施した場合を示すものである。
【００１６】
１はフィルタユニット、１ａは活性炭フィルタ、２はファン、３は浄化装置１００用の入口側風道管、４は浄化装置用の出口側風道管、５は出口側風道管４の途中より分岐した分岐管、６は作業用排気風道管、７ａは入口側風道管３に設けた入口弁、７ｂは出口側風道管４に設けた出口弁、７ｃは分岐管５に設けたバイパス弁である。
【００１７】
８ａは原子炉、８ｂは原子炉ウェル、９及び１０は給気ダクト及び排気ダクト、１１及び１２は給気ダクト９及び排気ダクト１０と連通する換気口及び排気口、１３ａは給気ダクト９に設けられた給気ダクトダンパ、１３ｂは原子炉８ａ及び原子炉ウェル８ｂと排気ダクト１０との間及び出口側風道管４とに設けられた排気ダクトダンパ、１４は空気流、１５は養生シート、１６は水中切断装置である。
【００１８】
原子炉建屋Ａ内には、屋内を換気する室内換気設備の一部分を構成する給気ダクト９や排気ダクト１０が装備されている。室内換気設備は正常な新鮮空気が給気ダクト９を通して給気口１１から原子炉建屋Ａ内に給気される。尚、原子炉建屋Ａ内は運転階である。
【００１９】
一方、原子炉建屋Ａ内の雰囲気は排気口１２から吸い込んで排気ダクト１０に通して浄化設備１００を通して主排気筒から外界へ排気される。
【００２０】
原子炉８ａ内の構造物を修繕する工事用の換気設備は、フィルタユニット１、その下流側にはファン２を備え、浄化装置１００には入口側風道管３及び出口側風道管４とに接続している。フィルタユニット１には、主に活性炭フィルタ１ａが内蔵されている。
【００２１】
原子炉８ａ内に水Ｗを満たした水張り時の水中切断作業においては、水中作業で発生する放射能を含んだガスが直接運転階に拡散しないように養生シート１５により原子炉ウェル８ｂを覆い、浄化装置１００の入口側風道管３の１つに接続した作業用排気風道管６を、養生シート１５付近に挿入する。
【００２２】
また、入口側の入口側風道管３のもう１つに作業用排気風道管６を接続し、運転階の任意の場所に設置する。残りの入口側風道管３の弁７ａは閉止させファン２を起動させる。
【００２３】
浄化装置１００を運転する際には、排気ダクト１３ｂを閉止し、給気ダクトダンパ１３ａを操作し、給気風量が浄化装置の風量と同等となるように調節する。又はファン２で吸引する分、浄化装置１００の風量が給気ダクト９の風量より多少多くなる場合がある。要するに給気ダクトの弁を操作し、原子炉建屋内が負圧になるように浄化装置の風量を調整する。
【００２４】
これにより、水中作業で発生する放射能を含んだガスが、空気流１４となりフィルタユニット１を通過して除去されることから、汚染が室内に拡散することなく、局所的な浄化が達成できると共に、修繕する原子炉区域及び原子炉建屋内が負圧になっているから、これらの区域から他の区域に汚染が拡散するのを防止することができる。
【００２５】
また、排気ダクト１３ｂを閉止することにより、運転階の空気は全て浄化装置にて処理されるため、排気ダクトから排気筒を経て汚染空気が放出することを防止できる。更に、換気ダクト９は通常通りの換気を継続でき、運転階の作業性を向上させることができる。
【００２６】
このことから、原子炉内における構造物修繕工事のうち原子炉内を水張りした時の水中切断作業に適した浄化方法を提供できる。尚、本実施例においては、浄化装置１の入口側風道管３を３ヶ備え、うち２ヶ使用しているが、入口弁７ａにより作業に応じた風量の調整が可能である。
【００２７】
また作業用排気風道管６は定期点検する原子炉区域と浄化装置１００との間に取り外し自在に設けられているから、定期点検後は取り外した作業用排気風道管６及び浄化装置１００を原子炉建屋外に移動して、原子炉建屋内を有効に利用することができる。尚、作業用排気風道管６は入口側風道管３を原子炉８ａ及び原子炉ウェル８ｂ等まで延長すれば省略しても良い。
（実施例２）
図３及び図４は、本発明の第２実施例に係る原子炉内の構造物修繕工事用換気設備の要部を説明する図である。図中、図１及び図２と同一符号は同符号を付して、再度の説明を省略する。
【００２８】
本発明の第２実施例は、原子炉内における構造物修繕工事のうち原子炉内の水抜き後の据付作業を実施した場合の運転方法を示すものである。
【００２９】
原子炉内の水抜き後の据付作業においては、原子炉８ａ、原子炉ウェル８ｂにおいて作業が必要となるため、浄化装置１００の入口側風導管３の１つに作業用排気風道管６を接続し、原子炉８ａに挿入する。
【００３０】
また、入口側風道管３のもう１つに作業用排気風道管６を接続し、原子炉ウェル８ｂ内に挿入し、残りの入口側風道管３を換気用の作業用排気風道管６に接続し、運転階の任意の場所に設置しファン２を起動させる。
【００３１】
浄化装置を運転する際には、実施例１と同様に排気ダクト１３ｂを閉止し、給気ダクトダンパ１３ａを操作し、給気風量が浄化装置の風量と同等となるように調節する。
【００３２】
これにより、原子炉８ａ及び原子炉ウェル８ｂの内部に存在する放射性物質が、空気流１４となりフィルタユニット１を通過して除去されることから、汚染が室内に拡散することなく、局所的な浄化が達成できる。１４ａは浄化後の空気の流れである。
【００３３】
このことから、原子炉内における構造物修繕工事のうち原子炉内の水抜き後の据付作業に適した浄化方法を提供できる。尚、作業が終了した場合は浄化装置１００のファン２を停止させ、給気ダクトダンパ１３ａ及び排気ダクト１３ｂを従来の開度に復旧させた後、作業用排気風道管６を取り外し浄化装置の撤去を行う。
（実施例３）
図５は、本発明の第３実施例に係る原子炉内における構造物の修繕工事用換気設備の要部説明図である。図中、図１ないし図４と同一符号は同符号を付して、再度の説明を省略する。
【００３４】
本発明の第３実施例は、原子炉内における構造物修繕工事のうち原子炉内の水抜き後の据付作業を実施している時、室内換気設備が停止した場合の運転方法を示すものである。１４ａは浄化後の空気の流れである。
【００３５】
この場合、浄化装置１００により、原子炉８ａ及び原子炉ウェル８ｂ等の内部空気が吸引されフィルタユニット１を通過して放射性物質を除去することができるが、室内換気設備が停止しているため、排気ダクト１０は排気できないことから、分岐管５に設けたバイパス弁７ｃを開放し、浄化装置用の出口側風道管４の出口弁７ｂを閉鎖し、ファン２を運転し、運転階に浄化装置１００で浄化後の空気を再び入口側風道管３に流し、再循環路を形成する運転に切り替えることにより、浄化装置１００を連続して運転することができると共に、修繕作業の継続が可能となる。
【００３６】
更に、このとき給気ダンパ１３ａを閉止し、運転階の空気の流れを隔離することにより、周辺環境への悪影響を確実に抑制できると共に、修繕作業の効率向上を図ることができる。
【００３７】
前述のように、本発明の実施例によれば、フィルタ等を内蔵するフィルタユニットと、それに導く風道管、及びフィルタユニットの下流側に備えたファンとこれらを接続する風道管を備えて浄化装置を形成させ、浄化装置用の入口側風道管を原子炉内等に挿入する構成としたので、原子炉内に存在する放射性物質、又は有害物質を効率的に除去できると共に、運転区域及び定期点検区域の汚染を他の区域に及ぼすことがない。
【００３８】
また、前記原子炉内における構造物の修繕工事用換気設備において、浄化装置用の入口側風道管に開閉自在の弁を複数個備え、挿入先或いは吸入先を切り替えできることができる構成にしたので、作業用途に応じて前述の物質を除去できる。
【００３９】
更に、原子炉の建屋室内における浄化装置の下流側風道管に分岐管を設け、分岐管及び下流側風道管に開閉自在の弁を備え、この弁を制御して浄化装置の排気風量を調整することにより、原子炉建屋室内の換気設備が停止時においても、浄化装置の運転を継続し、除去効率の向上並びに周辺環境への汚染拡大を抑制できる構成としたので、除去効率並びに修繕作業の効率の向上を図ることが期待できる。
【００４０】
従って、本発明は、原子力発電設備の定期点検等において、原子炉機器等の分解により拡散、又は機器内部に残留する放射性物質を、活性炭などを内蔵するフィルタユニット等で構成される浄化装置を用いて除去し、除去効率を向上させることができる。また、定期点検している区域及び運転階区域を負圧にすることにより、これらの区域からの汚染が他の区域に及ぼすのを防止できる。
【００４１】
【発明の効果】
以上のように、本発明によれば、定期点検等を行っている原子炉区域内に存在する放射性物質、又は有害物質を効率的に除去できると共に、運転区域及び定期点検区域の汚染を他の区域に及ぼすことがない。
【図面の簡単な説明】
【図１】本発明の第１実施例による原子炉建屋内の運転階における各機器の配置を示した平面図。
【図２】図１の縦断面図。
【図３】本発明の第２実施例による原子炉建屋内の運転階における各機器の配置を示した平面図。
【図４】図３の縦断面図。
【図５】本発明の第３実施例による原子炉建屋内の配置を示した平面図。
【符号の説明】
１…フィルタユニット、１ａ…活性炭フィルタ、２…ファン、３…入口側風道管、４…出口側風道管、５…分岐管、６…作業用排気風道管、７ａ…入口弁、７ｂ…出口弁、７ｃ…バイパス弁、８ａ…原子炉、８ｂ…原子炉ウェル、９…給気ダクト、１０…排気ダクト、１１…給気口、１２…排気口、１３ａ…給気ダクトダンパ、１３ｂ…排気ダクトダンパ、１４…空気流、１４ａ…浄化後の空気流、１５…養生用シート、１６…水中切断装置、１００…浄化装置。
【図１】
0003701209.tif 000002
【図２】
0003701209.tif 000003
【図３】
0003701209.tif 000004
【図４】
0003701209.tif 000005
【図５】
0003701209.tif 000006